(57)【要約】【課題】ベランダにおいても、十分な明るさを確保することが可能な採光システムを提供する。【解決手段】本発明の採光システム５は、建造物のベランダ１００に設けられる採光システム５であって、光が入射する第１主面と、前記第１主面に対向し光が出射する第２主面とを有し、前記第１主面から入射した光を前記第２主面に向けて偏向する第１の光制御部材１０と、前記第１の光制御部材１０から出射された光を偏向する第２の光制御部材２０と、を有することを特徴とする。【選択図】      図４
2016071123.tif 000002
【特許請求の範囲】
【請求項１】
建造物のベランダに設けられる採光システムであって、
光が入射する第１主面と、前記第１主面に対向し光が出射する第２主面とを有し、前記第１主面から入射した光を前記第２主面に向けて偏向する第１の光制御部材と、
前記第１の光制御部材から出射された光を前記第１の光制御部材側に偏向する第２の光制御部材と、を有することを特徴とする採光システム。
【請求項２】
ベランダは屋根部を有し、
前記第２の光制御部材で偏向された光が前記屋根部に照射されることを特徴とすることを特徴とする請求項１に記載の採光システム。
【請求項３】
前記第１の光制御部材が、ベランダの床部と転落防止手摺り部との間に配されることを特徴とする請求項１又は請求項２に記載の採光システム。
【請求項４】
前記第２の光制御部材が、ヒンジ構造部により姿勢変更可能であることを特徴とする請求項１乃至請求項３のいずれか１項に記載の採光システム。
【請求項５】
前記第２の光制御部材が、巻き取り構造部により巻き取り可能であることを特徴とする請求項１乃至請求項３のいずれか１項に記載の採光システム。
【請求項６】
前記第２の光制御部材が、引戸収納構造部により収納可能であることを特徴とする請求項１乃至請求項３のいずれか１項に記載の採光システム。
【請求項７】
前記第２の光制御部材が複数のスラットからなり、前記複数のスラットは昇降機構部により昇降可能であることを特徴とする請求項１乃至請求項３のいずれか１項に記載の採光システム。
【請求項８】
前記第２の光制御部材が複数のスラットからなり、前記複数のスラットはスラット角度調整機構部によりスラット角度が調整可能であることを特徴とする請求項１乃至請求項３のいずれか１項に記載の採光システム。
【発明の詳細な説明】
【技術分野】
【０００１】
本発明は、建物のベランダに日光などの光を取り入れ、明るさを確保するために用いる採光システムに関するものである。
【背景技術】
【０００２】
窓ガラスにより、建物の内部に日光等の外光を取り入れて明るく快適な室内空間を形成することはよく知られている。しかし、一方で当該窓ガラスに入射した外光をそのまま室内に取り入れると、まぶしさを感じたり、光があたる場所が室内の一部のみに限定されたり、といった不具合が生じることがある。これに対して、直接日光を制御して、より快適な態様で室内側に光を採り入れる技術が提案されている。
【０００３】
例えば、特許文献１（特開２０１２−２５５９５１号公報）には、一方向に延在する凹状溝が繰り返し作製され、凹状溝への充填材の充填により、透明シート材への入射光を反射する一方向に延長した反射面が凹状溝の少なくとも一方の斜面に形成され、反射面による反射により、窓を透過した直射太陽光を屋内に導入する光制御部材（採光シート）が開示されている。
【特許文献１】特開２０１２−２５５９５１号公報
【発明の概要】
【発明が解決しようとする課題】
【０００４】
上記のような光制御部材（採光シート）による室内への採光効果は充分であっても、ベランダは奥行きが制限されるため、太陽光がベランダ天井部に到達することなく、ベランダについては、充分な明るさを確保することができない、という問題があった。
【０００５】
近年、ベランダは物干し場やガーデニング場としてだけでなく、居住空間の一部分として利用されるようになってきており、室内と同様に採光による明るさ改善が必要とされているが、従来、ベランダの採光ということは十分に考慮されておらず、問題であった。
【課題を解決するための手段】
【０００６】
本発明は以上のような課題を解決するためのものであり、本発明に係る採光システムは、建造物のベランダに設けられる採光システムであって、光が入射する第１主面と、前記第１主面に対向し光が出射する第２主面とを有し、前記第１主面から入射した光を前記第２主面に向けて偏向する第１の光制御部材と、前記第1の光制御部材から出射された光を
前記第１の光制御部材側に偏向する第２の光制御部材と、を有することを特徴とする。
【０００７】
また、本発明に係る採光システムは、ベランダは屋根部を有し、前記第２の光制御部材で偏向された光が前記屋根部に照射されることを特徴とすることを特徴とする。
【０００８】
また、本発明に係る採光システムは、前記第１の光制御部材が、ベランダの床部と転落防止手摺り部との間に配されることを特徴とする。
【０００９】
また、本発明に係る採光システムは、前記第２の光制御部材が、ヒンジ構造部により姿勢変更可能であることを特徴とする。
【００１０】
また、本発明に係る採光システムは、前記第２の光制御部材が、巻き取り構造部により巻き取り可能であることを特徴とする。
【００１１】
また、本発明に係る採光システムは、前記第２の光制御部材が、引戸収納構造部により収納可能であることを特徴とする。
【００１２】
また、本発明に係る採光システムは、前記第２の光制御部材が複数のスラットからなり、前記複数のスラットは昇降機構部により昇降可能であることを特徴とする。
【００１３】
また、本発明に係る採光システムは、前記第２の光制御部材が複数のスラットからなり、前記複数のスラットはスラット角度調整機構部によりスラット角度が調整可能であることを特徴とする。
【発明の効果】
【００１４】
本発明に係る採光システムは、第１の光制御部材から出射された光を偏向する第２の光制御部材を有しており、このような本発明に係る採光システムによれば、第2の光制御部
材からの照射光がベランダを照らすことができるので、室内に加えてベランダにおいても、簡易な構成で十分な明るさを確保することが可能となる。
【図面の簡単な説明】
【００１５】
【図１】第1の光制御部材１０の効果を説明する図である。
【図２】第１の光制御部材１０の断面構造を模式的に説明する図である。
【図３】本発明の実施形態に係る採光システム５の構成を説明する図である。
【図４】本発明の実施形態に係る採光システム５の構成を説明する図である。
【図５】本発明の他の実施形態に係る採光システム５の構成を説明する図である。
【図６】本発明の他の実施形態に係る採光システム５の構成を説明する図である。
【図７】本発明の他の実施形態に係る採光システム５の構成を説明する図である。
【図８】本発明の他の実施形態に係る採光システム５の構成を説明する図である。
【図９】本発明の他の実施形態に係る採光システム５の構成を説明する図である。
【図１０】本発明の他の実施形態に係る採光システム５の構成を説明する図である。
【図１１】本発明の他の実施形態に係る採光システム５の構成を説明する図である。
【図１２】本発明の他の実施形態に係る採光システム５の構成を説明する図である。
【図１３】本発明の他の実施形態に係る採光システム５の構成を説明する図である。
【発明を実施するための形態】
【００１６】
以下、本発明の実施の形態を図面を参照しつつ説明する。以下、まず、本発明に用いる第１の光制御部材１０の構成の概要について説明する。
【００１７】
図１は第１の光制御部材１０の効果を説明する図である。図１（Ａ）は通常の窓部からの太陽光の採り入れを示しており、図１（Ｂ）は窓部に第１の光制御部材１０を取り付けて、太陽光の採り入れを行った場合を示している。第１の光制御部材１０を窓部に設けることにより、屋内全体を可能な限り均一に明るくする採光を実現する。
【００１８】
ここで、以下の説明において、各構成の方向及び位置関係などを明瞭にするための座標を定義する。窓部の水平な辺と方向と平行な方向をｘ方向とし、鉛直上方方向をｚ方向とした右手系座標を定義し、以下の説明に用いることとする。本件明細書に添付する図面には、必要に応じて、このような右手系座標が参照のために記されている。
【００１９】
本発明に用いる第１の光制御部材１０の一例を説明する。図２は第１の光制御部材１０の断面構造を模式的に説明する図である。なお、本件明細書に添付する図面においては、図示と理解のしやすさの便宜上、縮尺および縦横の寸法比等を、実物のそれらから適宜変更したり、誇張したりすることがある。また、図面の見やすさの観点から、周期的に繰り返す構成については、参照番号を付すことを省略している。
【００２０】
図２に示すように、第１の光制御部材１０は、光が入射する第１主面１１と、前記第１主面１１に対向し光が出射する第２主面１２とを有し、前記第１主面１１と前記第２主面１２との間に存在し、前記第１主面１１から入射した光を前記第２主面１２に向けて偏向する複数の低屈折率媒質部１６と、を備える。
【００２１】
第１の光制御部材１０は、典型的には、紙面垂直方向（ｘ方向）に延在し、紙面上下方向（ｚ方向）に周期的に設けられる複数の低屈折率媒質部１６と、低屈折率媒質部１６同士を離隔する高屈折率媒質部１５とを備える。この場合、低屈折率媒質部１６と高屈折率媒質部１５との界面が反射面となる。低屈折率媒質部１６は、高屈折率媒質部１５の屈折率に比べて低い屈折率を有する媒質により構成される。例えば、高屈折率媒質部１５が、樹脂である場合、低屈折率媒質部１６は空気あるいは高屈折率媒質部１５を構成する樹脂よりも低い屈折率を有する樹脂を用いることができる。
【００２２】
第１主面１１に入射した光Ｌ１は、第１の光制御部材１０に進み、反射面で反射し偏向する。その後、偏向した光Ｌ１は、第１主面１１に対向する第２主面１２から出射し、第１の光制御部材１０外に進む。
【００２３】
なお、第１主面１１に入射した光Ｌ２のように、第１の光制御部材１０に進み、低屈折率媒質部１６と高屈折率媒質部１５との界面で屈折することで偏向し、第２主面１２から出射し、第１の光制御部材１０外に進む光も存在する。
【００２４】
以上のような機能を有する第１の光制御部材１０は、有機高分子樹脂材料により製造した光制御フィルムであってもよいし、また、無機ガラス材料により製造した光制御ガラスであってもよい。
【００２５】
また、第１の光制御部材１０として、高屈折率媒質部１５内に、複数の低屈折率媒質部１６を配す構成の例を説明したが、複数の低屈折率媒質部１６に代えて、例えば、複数の、金属などの反射率の高い材料を第１の光制御部材１０内に配置した構成としてもよい。
【００２６】
次に、以上のような第１の光制御部材１０を用いた本発明に係る採光システム５について説明する。図３及び図４は本発明の実施形態に係る採光システム５の構成を説明する図である。
【００２７】
図３及び図４は、ベランダ１００を有する部屋のｙｚ断面を示している。図３は、室内床部１１７と室内屋根部１０７との間の室内空間の明るさを重視したときの採光システム５のセッティングを示しており、図４はベランダ床部１１５とベランダ屋根部１０５との間のベランダ１００の空間の明るさを重視したときの採光システム５のセッティングを示している。
【００２８】
ベランダ床部１１５には、透明手摺りパネル１２０が立設され、透明手摺りパネル１２０の上端部には、転落防止手摺り１２３が設けられていることが想定されている。また、ベランダ１００と室内との間には、窓ガラス１１６が設けられていることが想定されている。上記のような、透明手摺りパネル１２０には、前述した第１の光制御部材１０が貼り付けられている。この第１の光制御部材１０は、ｘｚ平面と平行な２つの主面を有するものである。
【００２９】
なお、本実施形態においては、第１の光制御部材１０を、透明手摺りパネル１２０に貼り付ける構成としているが、ベランダに設けられている転落防止壁部に設けられている目隠し板や、小窓に第１の光制御部材１０を貼り付けるようにしても良い。要は、第１の光
制御部材１０は、ベランダ床部１１５と、転落防止手摺り１２３との間に配されるようにすればよい。
【００３０】
また、ベランダ屋根部１０５における梁部１０６に設けられているヒンジ構造部３０には、パネル状の第２の光制御部材２０が取り付けられている。ヒンジ構造部３０は、パネル状の第２の光制御部材２０の姿勢を変更することを可能とするものであり、周知のヒンジ構造を採用することができる。ヒンジ構造部３０は、パネル状の第２の光制御部材２０を、パネル状の第２の光制御部材２０の主面がｘｙ平面と平行な面となるような姿勢（図３の姿勢）とし固定することができようになっている。また、ヒンジ構造部３０は、パネル状の第２の光制御部材２０を、パネル状の第２の光制御部材２０の主面がｘｚ平面と平行な面となるような姿勢（図４の姿勢）とし固定することができるようになっている。
【００３１】
パネル状の第２の光制御部材２０は、光を偏向する部材にて構成すれば、任意のものを用いることができる。また、パネル状の第２の光制御部材２０として用いる部材の表面形状や光学性能(透過率・反射率など)も、適宜設定することができる。
【００３２】
透明手摺りパネル１２０に貼り付けられている第１の光制御部材１０は、太陽Ｓからの光の一部を図示するように跳ね上げる。
【００３３】
図３に示す、室内空間の明るさを重視したときの採光システム５のセッティングでは、第１の光制御部材１０によって跳ね上げられた光は、窓ガラス１１６を通過し、室内屋根部１０７を照射することとなる。これにより、室内の広い空間にわたった採光を実現することができる。
【００３４】
一方、図４に示す、ベランダ１００の空間の明るさを重視したときの採光システム５のセッティングでは、第１の光制御部材１０によって跳ね上げられた光の一部は、パネル状の第２の光制御部材２０によって偏向され、ベランダ屋根部１０５を照射することできるようになり、奥行きの制限されるベランダ１００においても、明るさを確保することができるようになっている。
【００３５】
以上のような本発明に係る採光システム５は、第１の光制御部材１０から出射された光を偏向するパネル状の第２の光制御部材２０を有しており、このような本発明に係る採光システム５によれば、パネル状の第２の光制御部材２０からの照射光がベランダ１００のベランダ屋根部１０５を照らすことができるので、室内に加えてベランダ１００においても、簡易な構成で十分な明るさを確保することが可能となる。
【００３６】
次に、本発明の他の実施形態について説明する。図５及び図６は本発明の他の実施形態に係る採光システム５の構成を説明する図である。
【００３７】
先の実施形態においては、第２の光制御部材２０として、パネル状の第２の光制御部材２０を用いたが、本実施形態においては、第２の光制御部材２０として、シャッター４０を用いるようにしている。
【００３８】
このようなシャッター４０は、梁部１０６内に設けられる既設の巻き取り構造部５０によって、巻き取り可能とされていると共に、巻き取り構造部５０から引き出されることで、ｘｚ面と平行な面に偏向面を形成することができるようになっている。
【００３９】
図５に示す、巻き取り構造部５０でシャッター４０が巻き取られている状態は、室内空間の明るさを重視したときの採光システム５のセッティングであり、このとき、第１の光制御部材１０によって跳ね上げられた光は、窓ガラス１１６を通過し、室内屋根部１０７
を照射することとなる。これにより、室内の広い空間にわたった採光を実現することができる。
【００４０】
一方、図６に示す、巻き取り構造部５０でシャッター４０が引き出された状態は、ベランダ１００の空間の明るさを重視したときの採光システム５のセッティングであり、このとき、第１の光制御部材１０によって跳ね上げられた光の一部は、シャッター４０によって偏向され、ベランダ屋根部１０５を照射することできるようになり、奥行きの制限されるベランダ１００においても、明るさを確保することができるようになっている。
【００４１】
以上のような他の実施形態によっても、先の実施形態と同様の効果を享受することができる。
【００４２】
次に、本発明の他の実施形態について説明する。図７及び図８は本発明の他の実施形態に係る採光システム５の構成を説明する図である。
【００４３】
先の実施形態においては、第２の光制御部材２０として、梁部１０６内の既設の巻き取り構造部５０に巻き取られているシャッター４０を用いていた。これに対して、本実施形態では、部材として、巻き取り構造部５０に巻き取られているロールアップブラインド４５を用いると共に、このような巻き取り構造部５０は、梁部１０６に後付けするようにしている。
【００４４】
ロールアップブラインド４５は、巻き取り構造部５０によって、巻き取り可能とされていると共に、巻き取り構造部５０から引き出されることで、ｘｚ面と平行な面に偏向面を形成することができるようになっている。
【００４５】
図７に示す、巻き取り構造部５０でシャッター４０が巻き取られている状態は、室内空間の明るさを重視したときの採光システム５のセッティングであり、このとき、第１の光制御部材１０によって跳ね上げられた光は、窓ガラス１１６を通過し、室内屋根部１０７を照射することとなる。これにより、室内の広い空間にわたった採光を実現することができる。
【００４６】
一方、図８に示す、巻き取り構造部５０でロールアップブラインド４５が引き出された状態は、ベランダ１００の空間の明るさを重視したときの採光システム５のセッティングであり、このとき、第１の光制御部材１０によって跳ね上げられた光の一部は、ロールアップブラインド４５によって偏向され、ベランダ屋根部１０５を照射することできるようになり、奥行きの制限されるベランダ１００においても、明るさを確保することができるようになっている。
【００４７】
以上のような他の実施形態によっても、先の実施形態と同様の効果を享受することができる。
【００４８】
次に、本発明の他の実施形態について説明する。図９及び図１０は本発明の他の実施形態に係る採光システム５の構成を説明する図である。
【００４９】
本実施形態においては、第２の光制御部材２０として、網戸５０を用いる。この網戸５０は、引戸収納構造部６０に収納可能とされており、必要に応じて、引戸収納構造部６０から網戸５０を引き出し窓ガラス１１６の前面に配することができるようになっている。
【００５０】
図９に示す、網戸５０が引戸収納構造部６０に収納されている状態は、室内空間の明るさを重視したときの採光システム５のセッティングであり、このとき、第１の光制御部材
１０によって跳ね上げられた光は、窓ガラス１１６を通過し、室内屋根部１０７を照射することとなる。これにより、室内の広い空間にわたった採光を実現することができる。
【００５１】
一方、図１０に示す、第２の光制御部材２０として機能する網戸５０が引戸収納構造部６０から引き出された状態は、ベランダ１００の空間の明るさを重視したときの採光システム５のセッティングであり、このとき、第１の光制御部材１０によって跳ね上げられた光の一部は、網戸５０によって偏向され、ベランダ屋根部１０５を照射することできるようになり、奥行きの制限されるベランダ１００においても、明るさを確保することができるようになっている。
【００５２】
以上のような他の実施形態によっても、先の実施形態と同様の効果を享受することができる。
【００５３】
次に、本発明の他の実施形態について説明する。図１１乃至図１３は本発明の他の実施形態に係る採光システム５の構成を説明する図である。
【００５４】
本実施形態においては、第２の光制御部材２０として、ブラインド７０を構成する複数のスラット７５を用いるようにしている。複数のスラット７５は、昇降機構部８０によって、昇降可能とされるようになっている。また、複数のスラット７５は、スラット角度調整機構部９０によって角度調整されるようになっている。このようなスラット７５の昇降機構部８０やスラット角度調整機構部９０はいずれも周知のものを用いることができる。
【００５５】
図１１に示す、複数のスラット７５が昇降機構部８０によって上昇している状態は、室内空間の明るさを重視したときの採光システム５のセッティングであり、このとき、第１の光制御部材１０によって跳ね上げられた光は、窓ガラス１１６を通過し、室内屋根部１０７を照射することとなる。これにより、室内の広い空間にわたった採光を実現することができる。
【００５６】
一方、図１２に示す、第２の光制御部材２０として機能する複数のスラット７５が、昇降機構部８０によって下降し、スラット角度調整機構部９０によって、ｘｚ平面と平行となるようにされている状態は、ベランダ１００の空間の明るさを重視したときの採光システム５のセッティングであり、このとき、第１の光制御部材１０によって跳ね上げられた光の一部は、複数のスラット７５によって偏向され、ベランダ屋根部１０５を照射することできるようになり、奥行きの制限されるベランダ１００においても、明るさを確保することができるようになっている。
【００５７】
以上のような他の実施形態によっても、先の実施形態と同様の効果を享受することができる。
【００５８】
さらに、本実施形態においては、図１３に示すように、第２の光制御部材２０として機能する複数のスラット７５が、昇降機構部８０によって下降し、スラット角度調整機構部９０によって、ｘｚ平面と平行とならないような設定を行うこともでき、複数のスラット７５が下降したままでも、室内空間の明るさを重視したときの採光システム５のセッティングを行うこともできる。
【００５９】
以上、本発明に係る採光システムは、第１の光制御部材から出射された光を前記第１の光制御部材側に偏向する第２の光制御部材を有しており、このような本発明に係る採光システムによれば、第２の光制御部材からの照射光がベランダを照らすことができるので、室内に加えてベランダにおいても、簡易な構成で十分な明るさを確保することが可能となる。
【符号の説明】
【００６０】
５・・・採光システム
１０・・・第１の光制御部材
１１・・・第１主面
１２・・・第２主面
１５・・・高屈折率媒質部
１６・・・低屈折率媒質部
２０・・・パネル状の第２の光制御部材
３０・・・ヒンジ構造部
４０・・・シャッター（第２の光制御部材）
４５・・・ロールアップブラインド（第２の光制御部材）
５０・・・巻き取り構造部
５０・・・網戸（第２の光制御部材）
６０・・・引戸収納構造部
７０・・・ブラインド（第２の光制御部材）
７５・・・スラット
８０・・・昇降機構部
９０・・・スラット角度調整機構部
１００・・・ベランダ
１０５・・・ベランダ屋根部
１０６・・・梁部
１０７・・・室内屋根部
１１５・・・ベランダ床部
１１６・・・窓ガラス
１１７・・・室内床部
１２０・・・透明手摺りパネル
１２３・・・転落防止手摺り
【図１】
2016071123.tif 000003
【図２】
2016071123.tif 000004
【図３】
2016071123.tif 000005
【図４】
2016071123.tif 000006
【図５】
2016071123.tif 000007
【図６】
2016071123.tif 000008
【図７】
2016071123.tif 000009
【図８】
2016071123.tif 000010
【図９】
2016071123.tif 000011
【図１０】
2016071123.tif 000012
【図１１】
2016071123.tif 000013
【図１２】
2016071123.tif 000014
【図１３】
2016071123.tif 000015